(57)【要約】【課題】  清掃具において、掻き上げ体が掻き上げたゴミを容易にゴミ収容部に取り込み、取り込んだゴミは外方にこぼさずに捕捉すること。【解決手段】  掻き上げ体１６が掻き上げるゴミを受けるゴミ受け２３をフレーム１５に支持してなる清掃具１０であって、ゴミ受け２３のゴミ収容部２３Ｃにおける幅方向の複数位置に立てリブ６０を立設し、各立てリブ６０の上面６１がすくい面部２３Ｂの斜面に連続して斜め上方の一定高さレベルにまで延在される狭幅状をなすもの。【選択図】  図１
2005034452.tif 000002
【特許請求の範囲】
【請求項１】
清掃面上を転動してゴミを掻き上げる掻き上げ体をフレームに支持するとともに、
掻き上げ体に対する清掃進み方向の後部で、清掃面上を摺接するように配置され、掻き上げ体が掻き上げるゴミを受けるゴミ受けをフレームに支持してなる清掃具であって、
ゴミ受けが、清掃面上から斜めに立上って掻き上げ体に相対するすくい面部と、すくい面部の上端部に垂れ壁を介して後続する凹状のゴミ収容部とを有し、
ゴミ受けのゴミ収容部における清掃進み方向に交差する幅方向の複数位置のそれぞれにて、垂れ壁から清掃進み方向に沿う一定長範囲に渡る立てリブを立設し、各立てリブが狭幅状をなす清掃具。
【請求項２】
前記立てリブの上面が、すくい面部より上の高さレベルの面がある請求項１に記載の清掃具。
【請求項３】
前記立てリブの上面が、すくい面部の斜面に連続して延在される請求項１又は２に記載の清掃具。
【請求項４】
前記立てリブの上面が、すくい面部の斜面の斜め上方の一定高さレベルにまで延在される請求項１に記載の清掃具。
【請求項５】
前記立てリブが平板状をなす請求項１〜４に記載の清掃具。
【請求項６】
前記立てリブが山型断面状をなす請求項１〜５に記載の清掃具。
【請求項７】
前記ゴミ受けのゴミ収容部の底面から立上って相隣る立てリブの該底面に接する基部同士をつなぎ部によってつなぎ、該つなぎ部が該底面より高い段差をなす請求項１〜６のいずれかに記載の清掃具。
【発明の詳細な説明】
【技術分野】
【０００１】
本発明は、畳、フローリング、カーペット等の清掃面の清掃に用いて好適な清掃具に関する。
【背景技術】
【０００２】
特許文献１では、清掃具として、床面上を転動してゴミを掻き上げる掻き上げ体をフレームに支持するとともに、掻き上げ体に対する清掃進み方向の後部で、床面上を摺接するように配置され、掻き上げ体が掻き上げるゴミを受けるゴミ受けをフレームに支持してなるものを開示している。
【０００３】
特許文献１のゴミ受けは、床面上から斜めに立上って掻き上げ体に相対するすくい面部と、すくい面部の上端部に垂れ壁を介して後続する凹状のゴミ収容部とを有している。清掃具の前進時に、掻き上げ体が掻き上げたゴミは、ゴミ受けのすくい面部にガイドされ、すくい面部の上端部から垂れ壁により区画されるゴミ収容部に落下して取り込まれる。
【特許文献１】特開2003-111704（3頁、図１）
【発明の開示】
【発明が解決しようとする課題】
【０００４】
特許文献１の清掃具では、前進と後進をくり返し、前進過程で上述の如くにゴミをゴミ受けのゴミ収容部に取り込む。ところが、清掃具を前進後にいきなり後退すると、ゴミ収容部に取り込んであったゴミが前進時に付与された慣性によってゴミ収容部から垂れ壁を乗り越えて外方にこぼれ落ちる。
【０００５】
尚、上述のゴミのこぼれ落ちを回避するために、ゴミ収容部を区画する垂れ壁の高さを大きくする場合には、掻き上げ体が掻き上げたゴミをゴミ収容部に向けてガイドするすくい面部の上端レベルが高過ぎるものになる。この場合には、ゴミがすくい面部の途中に止まってその上端部を越えられず、ゴミ収容部に取り込みできないおそれがある。
【０００６】
本発明の課題は、清掃具において、掻き上げ体が掻き上げたゴミを容易にゴミ収容部に取り込み、取り込んだゴミは外方にこぼさずに捕捉することにある。
【課題を解決するための手段】
【０００７】
請求項１の発明は、清掃面上を転動してゴミを掻き上げる掻き上げ体をフレームに支持するとともに、掻き上げ体に対する清掃進み方向の後部で、清掃面上を摺接するように配置され、掻き上げ体が掻き上げるゴミを受けるゴミ受けをフレームに支持してなる清掃具であって、ゴミ受けが、清掃面上から斜めに立上って掻き上げ体に相対するすくい面部と、すくい面部の上端部に垂れ壁を介して後続する凹状のゴミ収容部とを有し、ゴミ受けのゴミ収容部における清掃進み方向に交差する幅方向の複数位置のそれぞれにて、垂れ壁から清掃進み方向に沿う一定長範囲に渡る立てリブを立設し、各立てリブが狭幅状をなすようにしたものである。
【実施例】
【０００８】
（第１実施例）（図１〜図３）
清掃具１０は、図１、図２に示す如く、柄１１の先端部に継手部１２を介して支持アーム１３を結合し、支持アーム１３の両側アーム部１３Ａに支軸部１４（不図示）を介してフレーム１５を前後方向に揺動自在に支持している。
【０００９】
フレーム１５の前部には可撓掻き上げ体１６が回転軸１７を介して回動自在に支持され、フレーム１５の後部には回転体１８が回転軸１９を介して回動自在に支持され、掻き上げ体１６と回転体１８は平行に並べられて配置される。
【００１０】
掻き上げ体１６は、支軸１６Ａと、支軸１６Ａの周囲に、軸方向の全長に渡ってブラシが植設されたブラシ車からなる掻き上げ部１６Ｂと、支軸１６Ａの両端部に結合された両側のタイヤ部１６Ｃからなり、タイヤ部１６Ｃに前述の回転軸１７を備える。掻き上げ部１６Ｂは粘着ロール２１に接触しても、接触しなくても良い。両側のタイヤ部１６Ｃはフレーム１５の両外側に配置される。掻き上げ体１６は、タイヤ部１６Ｃを床面上で転動させることにより、支軸１６Ａとともに回転する掻き上げ部１６Ｂにより床面上のゴミを掻き上げる。
【００１１】
回転体１８は、支軸１８Ａと、支軸１８Ａの軸方向の両端側２位置（軸方向３位置等の複数位置でも可）に設けられる円盤状の回転子１８Ｂと、支軸１８Ａの両端部に固定された両側のタイヤ部１８Ｃからなり、タイヤ部１８Ｃは前述の回転軸１９を備える。回転子１８Ｂは粘着ロール２１に接触する。両側のタイヤ部１８Ｃはフレーム１５の両外側に配置され、床面上を転動する。尚、回転体１８の回転子１８Ｂは、シリコンゴム製Ｏリング等の環状リング１８Ｄを外周に備える。環状リング１８Ｄは回転子１８Ｂに設けた環状溝に装填される。
【００１２】
清掃具１０は、掻き上げ体１６の掻き上げ部１６Ｂが掻き上げたゴミを捕捉するゴミ捕捉手段２０を、粘着ロール２１とゴミ受け２３により構成する。
【００１３】
即ち、掻き上げ体１６と回転体１８の回転子１８Ｂ（環状リング１８Ｄ）の上には、それらに跨がる粘着ロール２１が乗せられ、粘着ロール２１は掻き上げ体１６と回転体１８の回転に連れ回る。フレーム１５の上部は粘着ロール２１の出し入れ口とされ、取外し可能な透明カバー１５Ａにより被覆される。粘着ロール２１は、粘着シートの巻取りロールの構成、又は表面が粘着性のエラストマーからなり、その表面を洗浄して再使用可能とする構成等を含む。本実施例の粘着ロール２１は、粘着シート２１Ａをコア２１Ｂに巻き回し、粘着シート２１Ａの粘着面を外側に向けて巻出し可能かつ切断可能にした巻取りロールにて構成される。
【００１４】
フレーム１５における掻き上げ体１６に対する清掃進み方向の後部にはゴミ受け２３が支持されている。ゴミ受け２３は、床面に接する底面部２３Ａと、掻き上げ体１６の掻き上げ部１６Ｂに隙間なく接して（又は隙間を介して）相対する曲面状（又は平面状）のすくい面部２３Ｂと、回転体１８の回転子１８Ｂの下方の前後に渡る範囲に延在される凹状のゴミ収容部２３Ｃを有する。
【００１５】
ゴミ受け２３は、掻き上げ体１６の清掃進み方向の後部で、フレーム１５に後述する如くに上下に揺動可能に支持され、自重により底面部２３Ａとすくい面部２３Ｂの最下端部を床面上に隙間なく摺接するように配置され、掻き上げ体１６の掻き上げ部１６Ｂが掻き上げるゴミを床面に沿う後方に逃がすことなく、その全てのゴミをすくい面部２３Ｂにより粘着ロール２１の側にガイドし、大きなゴミはすくい面部２３Ｂに後続するゴミ収容部２３Ｃに送り込む。
【００１６】
清掃具１０では、ゴミ受け２３をフレーム１５に対し、掻き上げ体１６とは独立に上下動可能に支持した。このとき、ゴミ受け２３のすくい面部２３Ｂの先端エッジｅが掻き上げ体１６の掻き上げ部１６Ｂの外周に対して隙間なく接して（又は隙間を介して）相対する距離関係を、ゴミ受け２３の上下位置にかかわらず、略一定にする。具体的には、ゴミ受け２３を、フレーム１５との間に設けられる、掻き上げ体１６から清掃進み方向において遠い側（ゴミ受け２３の後端部の側）の後方支持部４０と、近い側（ゴミ受け２３の前端部の側）の前方支持部５０のそれぞれに支持する。後方支持部４０において、ゴミ受け２３の後方両側壁に設けた略角孔の上辺からなる略水平方向に延びる後方スライドガイド４１を、フレーム１５の両側壁に設けた後方ピン４２に略水平方向にスライド可能に支持する。前方支持部５０において、ゴミ受け２３の前方両側壁に設けた前方ピン５１を、フレーム１５の両側壁に設けた後方に向けて斜め上向きに延びる長孔の後側辺からなる前方スライドガイド５２に斜め方向のスライド可能に支持する。前方支持部５０の前方スライドガイド５２を掻き上げ体１６の回転中心軸（支軸１６Ａと同軸）を中心にする円弧状とした。
【００１７】
尚、清掃具１０では、ゴミ受け２３の後方支持部４０の後方スライドガイド４１をフレーム１５の後方ピン４２から係脱可能にしており、スライドガイド４１をピン４２から外した状態で、ゴミ受け２３を前方支持部５０まわりに回動することにより、ゴミ受け２３のゴミ収容部２３Ｃをフレーム１５の外方に開放可能とする。
【００１８】
以下、ゴミ受け２３について詳細に説明する（図３）。
ゴミ受け２３は、掻き上げ体１６の掻き上げ部１６Ｂに相対するすくい面部２３Ｂを床面上から斜めに立上げ、すくい面部２３Ｂの清掃進み方向に直交する幅方向の全幅に渡る上端部に垂れ壁２３Ｄを介して後続する凹状のゴミ収容部２３Ｃを有する。
【００１９】
ゴミ受け２３は、ゴミ収容部２３Ｃにおける清掃進み方向に直交する幅方向に例えば等間隔をなす複数位置のそれぞれに、多数条をなす平板状立てリブ６０を立接して備える。立てリブ６０は、垂れ壁２３Ｄから清掃進み方向の後方側に沿う一定長範囲に渡ってゴミ収容部２３Ｃの底面から立ち上がり、すくい面部２３Ｂの斜面に連続して斜め上方の一定高さレベルにまで延在される狭幅状の上面６１を備える。立てリブ６０の上面６１は、すくい面部２３Ｂの上端部に連なる斜め上面６１Ａと、斜め上面６１Ａに後続する水平上面６１Ｂからなる。
【００２０】
尚、ゴミ受け２３において、立てリブ６０の上面６１は、(a)すくい面部２３Ｂより上の高さレベルの面がある、(b)すくい面部２３Ｂの斜面に連続して延在される、又は(c)すくい面部２３Ｂの斜面の斜め上方の一定高さレベルにまで延在されるの少なくもいずれかであれば良い。
【００２１】
清掃具１０による清掃動作は以下の如くなされる。
(1)柄１１の軸方向に加える操作力により清掃具１０を前後進させ、掻き上げ体１６及び回転体１８を床面上にて転動させるとともに、ゴミ受け２３を床面上に摺接させ、同時に粘着ロール２１を掻き上げ体１６、回転体１８の回転に連れ回りさせる。
【００２２】
(2)清掃具１０の前進過程で、掻き上げ体１６の掻き上げ部１６Ｂが床面上のゴミを掻き上げると、このゴミはゴミ受け２３のすくい面部２３Ｂにガイドされ、一部のゴミはすくい面部２３Ｂの上端部から垂れ壁２３Ｄにより区画されるゴミ収容部２３Ｃに落下して取り込まれ、他のゴミは粘着ロール２１の側に送り出されてその粘着面に吸着捕捉される。
【００２３】
尚、フローリングの清掃時には、掻き上げ体１６の掻き上げ部１６Ｂがフローリング上を転動するとともに、ゴミ受け２３がフローリング上に摺接し、ゴミ受け２３のすくい面部２３Ｂの先端エッジｅが、掻き上げ体１６の掻き上げ部１６Ｂに隙間なく接するように後続配置し、掻き上げ部１６Ｂが掻き上げたフローリング上のゴミをすくい面部２３Ｂにてガイドする。カーペットの清掃時には、図１に示す如く、掻き上げ体１６の掻き上げ部１６Ｂがカーペットの毛足の中に沈み込んで転動するとともに、ゴミ受け２３がカーペットの毛足の表面上に浮き上がるように上方に移動し、ゴミ受け２３のすくい面部２３Ｂの先端エッジｅが、この場合にも、掻き上げ体１６の掻き上げ部１６Ｂに隙間なく接するように後続配置し、掻き上げ部１６Ｂが掻き上げたカーペット内のゴミをすくい面部２３Ｂにてガイドする。
【００２４】
(3)透明カバー１５Ａを通して粘着ロール２１の粘着面の全周に多量のゴミが捕捉されたことが視認されたら、カバー１５Ａを開いて粘着シート２１Ａの１周分を剥離切断除去し、新規粘着面を露出せしめた後、カバー１５Ａを閉じる。
【００２５】
本実施例によれば以下の作用効果を奏する。
(1)清掃具１０の前進時に、掻き上げ体１６が掻き上げたゴミは、ゴミ受け２３のすくい面部２３Ｂにガイドされ、すくい面部２３Ｂの上端部から垂れ壁２３Ｄにより区画されるゴミ収容部２３Ｃに落下して取り込まれる。すくい面部２３Ｂの上端部に達したゴミが、立てリブ６０の上面６１に突き当っても、立てリブ６０の上面６１が狭幅をなすものであるから、ゴミは立てリブ６０の上面６１からゴミ収容部２３Ｃに容易に転がり落ちて取り込まれる。
【００２６】
(2)清掃具１０を前進後にいきなり後退すると、ゴミ収容部２３Ｃに取り込んであったゴミが前進時に付与された慣性によって垂れ壁２３Ｄの側に移動しようとするものの、大きなゴミは立てリブ６０の後部端面に当って止められるし、小さなゴミは立てリブ６０の側面が付与する接触抵抗によって止められ、垂れ壁２３Ｄを乗り越えることがない。従って、ゴミ収容部２３Ｃに一旦取り込んだゴミを外方にこぼすことがない。
【００２７】
(3)立てリブ６０を平板状とすることにより、立てリブ６０を簡易に形成できる。
【００２８】
尚、上記の如く、ゴム収容部２３Ｃからの大きなゴミのこぼれ落ちは、垂れ壁２３Ｄを高くすることによって止めることができるが、一方において、垂れ壁２３Ｄを高くしすぎると、ゴミ収容部２３Ｃへのゴミの取り込み性が悪化する。
【００２９】
低い垂れ壁２３Ｄによりゴミの取り込み性を悪化させずに、ゴミ収容部２３Ｃに取り込んだゴミのこぼれ落ちを防止するには、立てリブ６０の上面６１を、前記の如く、(a)すくい面部２３Ｂより上の高さレベルに形成するか、(b)すくい面部２３Ｂの斜面に連続して延在させるか、(c)すくい面部２３Ｂの斜面の斜め上方の一定高さレベルにまで延在させれば良い。
【００３０】
これによれば、ゴミは低い垂れ壁２３Ｄの上端を容易に乗り越えてゴミ収容部２３Ｃへの取り込み性を維持しながら、ゴミ収容部２３Ｃに収容した大きなゴミが、垂れ壁２３Ｄより高い立てリブ６０に当たって止められ、ゴミ収容部２３Ｃからのこぼれ落ちを防止できる。
【００３１】
（第２実施例）（図４、図５）
第２実施例の清掃具１０が第１実施例と異なる点は、ゴミ受け２３の以下の構造にある。
【００３２】
ゴミ受け２３は、ゴミ収容部２３Ｃにおける清掃進み方向に直交する幅方向に例えば等間隔をなす複数位置のそれぞれに、多数条をなす山型断面状立てリブ７０（清掃進み方向に直交する断面視で山型断面をなす）を立設して備える。立てリブ７０は、垂れ壁２３Ｄから清掃進み方向の後方側に沿う一定長範囲に渡ってゴミ収容部２３Ｃの底面から立ち上がり、すくい面部２３Ｂの斜面に連続して斜め上方の一定高さレベルにまで延在される狭幅状の上面７１を備える。立てリブ７０の上面７１は、すくい面部２３Ｂの上端部に連なる斜め上面７１Ａと、斜め上面７１Ａに後続する水平上面７１Ｂからなる。立てリブ７０は、上面７１の両側の山すそをなす側面７２を円弧面状等の凹状曲面とする。
【００３３】
ゴミ受け２３は、ゴミ収容部２３Ｃの底面から立上って相隣る立てリブ７０、７０の側面７２が該底面に接する基部同士をつなぎ部７３によってつなぎ、立てリブ７０の後部端面に合致するつなぎ部７３の端面が該底面より高い段差をなすものとしている。
【００３４】
本実施例によれば、第１実施例の前述した(1)、(2)の作用効果に加え、以下の作用効果を奏する。
【００３５】
立てリブ７０を山型断面状とすることにより、立てリブ７０の上面７１を狭幅に維持しながら、広い後部端面を確保し、該後部端面によるゴミ止め効果の確実を図ることができる。
【００３６】
また、相隣る立てリブ７０、７０の基部同士のつなぎ部７３が、ゴミ収容部２３Ｃの底面に対して段差をなすことにより、小さなゴミの移動をこの段差に当てて止めることができる。
【図面の簡単な説明】
【００３７】
【図１】図１は第１実施例の清掃具を示す模式側面図である。
【図２】図２は清掃具を示す模式平面図である。
【図３】図３はゴミ受けの要部を示す模式図である。
【図４】図４は第２実施例の清掃具を示す模式側面図である。
【図５】図５はゴミ受けの要部を示す模式図である。
【符号の説明】
【００３８】
１０  清掃具
１５  フレーム
１６  掻き上げ体
２３  ゴミ受け
２３Ｂ  すくい面部
２３Ｃ  ゴミ収容部
２３Ｄ  垂れ壁
６０、７０  立てリブ
６１、７１  上面
７３  つなぎ部
【図１】
2005034452.tif 000003
【図２】
2005034452.tif 000004
【図３】
2005034452.tif 000005
【図４】
2005034452.tif 000006
【図５】
2005034452.tif 000007